(57)【要約】【課題】データの信頼性を保持したまま記録速度の低下を回避し、かつ、ベリファイエラー検出時にもホストコンピュータを煩わせない、情報記録再生制御装置を提供する。【解決手段】連続記録中断点の直前領域に記録された信号の品質を調査し、予め定められた条件を満たす場合には、記録開始点から、または、前回の連続記録中断点の直後から今回の連続記録の中断点までの領域の信号品質を試験するベリファイ動作を省略することが出来る。【選択図】図４
2009238337.tif 000002
【特許請求の範囲】
【請求項１】
ホストコンピュータから送信される任意の第１データ量の情報を情報記録媒体に記録するための制御を行う情報記録再生制御装置であって、
前記第１データ量の情報のうち、所定の第２データ量の情報を記録する度、および、前記第１データ量の情報を記録し終わった際に、タイミング信号を生成出力するタイミング生成手段と、
前記タイミング信号が生成出力される度に、前記記録された第２データ量または前記第２データ量に満たない残りの情報のうち、末尾の一部分における信号品質を取得する信号品質取得手段と、
前記取得された末尾の一部分における信号品質が、所定の品質条件を満たすか否かに基づいて、前記第２データ量または前記第２データ量に満たない残りの情報において再記録の必要があるか否かを判定する信号品質判定手段と
を具備する
情報記録再生制御装置。
【請求項２】
請求項１に記載の情報記録再生制御装置において、
前記再記録の必要があると判定された第２データ量または前記第２データ量に満たない残りの情報全体において、信号品質が所定の品質条件を満たすか否かを、所定の第３データ量単位で調査し、再記録を必要とする不良領域を記憶する不良位置記憶手段と、
前記記憶された不良領域に、情報の再記録を前記第３データ量単位で行うためのデータ再記録手段と
をさらに具備する
情報記録再生制御装置。
【請求項３】
請求項２に記載の情報記録再生制御装置において、
前記記録された第２データ量または前記第２データ量に満たない残りの情報を記憶し、前記再記録の際に提供するためのデータ保持手段
をさらに具備する
情報記録再生制御装置。
【請求項４】
請求項２に記載の情報記録再生制御装置において、
前記第２データ量または前記第２データ量に満たない残りの情報は、冗長データを含む複数の分割データとして並列記録され、
前記再記録に必要なデータを、他の分割データから復元するためのデータ復元手段
をさらに具備する
情報記録再生制御装置。
【請求項５】
請求項１〜３のいずれかに記載の情報記録再生制御装置において、
前記情報記録再生制御装置と、
前記情報記録再生制御装置に接続された前記ホストコンピュータと、
前記情報記録再生制御装置に接続された情報記録再生手段と
を具備し、
前記情報記録再生手段は、
前記情報記録媒体
を具備する
情報記録再生装置。
【請求項６】
請求項４に記載の情報記録再生制御装置において、
前記情報記録再生制御装置と、
前記情報記録再生制御装置に接続された前記ホストコンピュータと、
前記情報記録再生制御装置に接続された情報記録再生手段と
を具備し、
前記情報記録再生手段は、前記冗長データを含む複数の分割データをそれぞれ記録するための複数の前記情報記録媒体
を具備する
情報記録再生装置。
【請求項７】
ホストコンピュータから送信される任意の第１データ量の情報を、情報記録再生媒体に記録するための情報記録再生制御方法であって、
（ａ）前記第１データ量の情報を、所定の第２データ量単位で記録し、または、前記第２データ量に満たない残りの情報を記録するステップと、
（ｂ）前記ステップ（ａ）で記録した前記第２データ量、または、前記第２データ量に満たない残りの情報における信号品質を判定するステップと
を具備し、
前記ステップ（ｂ）は、
（ｂ−１）前記第２データ量、または、第２データ量に満たない残りの情報における末尾の一部分における信号品質を取得するステップと、
（ｂ−２）前記ステップ（ｂ−１）で取得された信号品質が、前記所定の品質条件を満たす場合に、前記第２データ量、または、前記第２データ量に満たない残りの情報の記録は終了したと判定するステップと、
（ｂ−３）前記ステップ（ｂ−１）で取得された信号品質が、前記所定の品質条件を満たさない場合に、前記第２データ量、または、前記第２データ量に満たない残りの情報は再記録を必要と判定するステップと
を具備する
情報記録再生制御方法。
【請求項８】
請求項７に記載の情報記録再生制御方法において、
前記ステップ（ａ）は、
（ａ−１）前記第２データ量、または、前記第２データ量に満たない残りの情報を、所定の第３データ量単位で記録するステップと、
（ａ−２）前記ステップ（ａ−１）の記録が終了した時点で、前記連続記録を中断するステップと
を具備する
情報記録再生制御方法。
【請求項９】
請求項８に記載の情報記録再生制御方法において、
（ｃ）前記ステップ（ｂ−３）で再記録が必要と判定された第２データ量または前記第２データ量に満たない残りの情報全体において、信号品質が所定の品質条件を満たすか否かを、前記第３データ量単位で調査するステップと、
（ｄ）再記録を必要とする不良領域を前記第３データ量単位で記憶するステップと、
（ｅ）前記記憶された不良領域に情報の再記録を前記第３データ量単位で行うステップと
をさらに具備する
情報記録再生制御方法。
【請求項１０】
請求項９に記載の情報記録再生制御方法において、
前記ステップ（ｅ）は、
（ｅ−１）前記再記録された領域の信号品質を判定するステップと、
（ｅ−２）前記再記録された領域の信号品質が前記所定の品質条件を満たさない場合に、再記録を繰り返すステップと、
（ｅ−３）前記再記録を繰り返す回数が所定の回数を超えた領域に対応するデータを別の記録領域に記録するステップと
を具備する
情報記録再生制御方法。
【請求項１１】
請求項９または１０に記載の情報記録再生制御方法において、
前記第３データ量は、前記情報記録媒体における最小記録単位に等しい
情報記録再生制御方法。
【発明の詳細な説明】
【技術分野】
【０００１】
本発明は、情報記録再生制御装置と、この情報記録再生制御装置を用いた情報記録再生装置と、情報記録再生制御方法とに係り、特に、書き換え可能な情報記録媒体を用いる情報記録再生制御装置と、この情報記録再生制御装置を用いた情報記録再生装置と、情報記録再生制御方法とに係る。
【背景技術】
【０００２】
近年、データ保存への需要の高まりから、光ディスク媒体を用いる光ディスク装置で構成された光ディスクアレイ装置が、データバックアップやライブラリストレージとして使用されている。上記のような用途では使用されるストレージ装置では、記録したデータに信頼性が要求される。
【０００３】
データ信頼性を保証するために、データの記録時にベリファイ処理を行われる。ベリファイ処理は、データを書き込んだ後、記録したデータを読み出し、記録したはずのデータと照合するという処理である。ベリファイ処理を行うことでデータの信頼性は保証されるが、データの記録速度はベリファイ処理を行わないときの約半分に低下する。
【０００４】
一方、ディスクアレイは複数のディスク装置を並列に動作させることで、単体のディスク装置より高い記録再生速度を得るための技術である。さらに、高速性と共に、信頼性向上を達成するために、冗長データを生成し利用する方法もある。記録すべきデータをＮ分割し、さらに分割データ１つ分の冗長データを生成して、Ｎ＋１台のディスク装置に並列に記録する。冗長データはＮ個の分割データからのパリティデータとして生成される。このように記録されていれば、再生時に分割データの１つが再生できない場合には、Ｎ−１個の分割データと冗長データとから、再生できなかった分割データが復元できる。
【０００５】
しかし、光ディスク媒体は、大容量、低価格な可換媒体であるが、比較的エラーレートが高いといわれている。したがって、ディスクアレイを構成した場合であっても、データ信頼性を向上させるためには、データ記録時にベリファイ処理を行うことが一般的である。そのため、データの信頼性を保持したまま、ベリファイ処理を省く工夫がこれまでもなされてきた。
【０００６】
上記に関連して、特許文献１（再公表ＷＯ９６／２８８２２号公報）では、信号記録方法に係る発明が開示されている。
特許文献１発明の信号記録方法は、記録するデータの種類に対応するしきい値を設定し、設定しきい値を満足するデータを媒体に記録するようにしたことを特徴とする。
【０００７】
また、特許文献２（特開平９−２５８９１３号公報）では、記憶装置アレイシステムに係る発明が開示されている。
特許文献２発明の記憶装置アレイシステムは、冗長データ生成手段と、データ書き込み手段と、データ読出し手段と、データ復元手段と、データ復旧手段と、復旧データ書き込み手段とを有する。ここで、冗長データ生成手段は、複数台の記憶装置と、外部入力データから冗長データを生成するものである。データ書き込み手段は、記憶装置に外部入力データと冗長データを書込むものである。データ読出し手段は、外部からの要求に応じて記録装置からデータを読出すものである。データ復元手段は、データ読出し手段が記憶装置のいずれかに記録されたデータを読出せないときに他の記憶装置に記録されているデータから読出せないデータを復元するものである。データ復旧手段は、記憶装置のいずれかに記録されたデータが消失した際に他の記憶装置に記録されているデータから消失したデータを復旧するものである。復旧データ書き込み手段は、復旧された復旧データを新たな記憶装置に書き込むものである。この記憶装置アレイシステムは、復旧記録手段を設けている。復旧記録手段は、新たな記憶装置の記録単位毎に復旧データの書き込み、未書き込みを記録するものである。復旧データ書き込み手段は、データ復元手段により復元されたデータを復旧データとして新たな記憶装置に書き込む構成である。復旧手段は、復旧データが未書き込みの記録単位に書き込むべきデータだけを復旧する構成である。
【０００８】
また、特許文献３（特開平１１−１４４３８１号公報）では、データ記録再生装置に係る発明が開示されている。
特許文献３発明のデータ記録再生装置は、少なくともコンピュータデータと映像データとが記録可能な記録媒体の記録再生処理を行うものである。このデータ記録再生装置は、データ読出し手段と、電子透かし検出手段と、判定手段とを具備したことを特徴とする。ここで、データ読出し手段は、記録媒体よりデータを読み出すものである。電子透かし検出手段は、このデータ読出し手段によって得られたデータから電子透かし情報を検出するものである。判定手段は、この電子透かし検出手段によって電子透かし情報が検出されなかった場合には、コンピュータデータであると判定し、電子透かし情報が検出された場合には、映像データであると判定するものである。
【０００９】
特許文献３には、電子透かし情報が検出されたとき当該データは映像データ、そうでないときコンピュータデータとデータを分類し、映像データと分類されたときにはベリファイ処理を実行しないという技術が記載されている。
【００１０】
また、特許文献４（特開２０００−２６８５１１号公報）では、データ記録装置に係る発明が開示されている。
特許文献４発明のデータ記録装置は、データを記録媒体に記録する装置である。このデータ記録装置は、エラー検出手段と、制御手段とを有することを特徴とする。ここで、エラー検出手段は、動画データの書き込みエラーを検出するものである。制御手段は、エラー検出手段での検出結果に応じて、データより後に存在する動画データに対するベリファイの有無を制御するものである。
【００１１】
特許文献４には、動画データの書き込みエラーを検出し、検出結果によって、その後に位置する動画データに対するベリファイ処理の有無を決定するという技術が記載されている。しかし、既に記録した部分でベリファイエラー（正しいデータが読み出せなかった状況）となった領域の回復策が示されていない。
【００１２】
また、特許文献５（特開２００２−３５８２１３号公報）では、ＧＵＩイベントプログラム実行装置に係る発明が開示されている。
特許文献５発明のＧＵＩイベントプログラム実行装置は、操作記述記憶手段と、操作記述送出手段とを備えることを特徴とする。ここで、操作記述記憶手段は、ＧＵＩ操作記述およびデバッグ操作記述を順序付けて記憶するものである。操作記述送出手段は、操作記述記憶手段に記憶された操作記述を順次取り出して、ＧＵＩ操作記述であった場合は、該ＧＵＩ操作記述のＧＵＩイベントプログラムを起動するイベント起動装置に、デバッグ操作記述であった場合は、該デバッグ操作記述を起動されたＧＵＩイベントプログラムのデバッグ操作を実行するデバッグ実行装置に、分配して送出するものである。
【００１３】
また、特許文献６（特開２００３−１０９２２６号公報）では、光ディスク装置に係る発明が開示されている。
特許文献６発明の光ディスク装置は、データの記録動作にエラーが生じた場合にデータ記録を中断するとともに、その後データが記録されていない未記録領域の先頭からデータ記録を再開する機能を有するものである。この光ディスク装置は、異常検出手段と、試し書き手段と、判定手段と、処理実行手段とを有することを特徴とする。ここで、異常検出手段は、トラッキングあるいはフォーカスの異常を検出するものである。試し書き手段は、異常が検出された場合に、その機能を用いてデータ記録を中断するとともに、データが記録されていない未記録領域の先頭から所定量だけデータを試し書きするものである。判定手段は、試し書きしたデータが再生できるか否かを判定するものである。処理実行手段は、試し書きしたデータが再生できる場合には試し書き直後であってデータが記録されていない未記録領域の先頭からデータ記録を再開し、試し書きしたデータが再生できない場合には所定のエラー処理を実行するものである。
【００１４】
また、特許文献７（特開２００３−２７２３１７号公報）では、光ディスク記録再生装置の記録制御方法に係る発明が開示されている。
特許文献７発明の光ディスク記録再生装置の記録制御方法は、記録位置をディスクの内周側より外周側へ移動させるとともに記録位置が所定の位置に達したとき記録中断再開動作を行うことによって記録線速度を高速側の線速度に変更するように構成されているとともにホスト機器より送信される記録信号が一時的に記憶されるバッファ用ＲＡＭを備えた光ディスク記録再生装置において用いるものである。この光ディスク記録再生装置の記録制御方法は、記録速度の変更動作時記録中断前にディスク記録された信号を再生するべく光学式ピックアップを後退するステップと、光学式ピックアップにて再生される信号より得られる同期信号と記録用基準信号との同期処理に基づいて記録中断位置より記録動作を再開するステップと、速度変更直後のディスクの回転速度が安定した状態にあるか否かを検出するステップと、安定していると判定されたとき同期処理を行うステップとを具備する。
【００１５】
また、特許文献８（特開２００４−１７８６５４号公報）では、再生装置に係る発明が開示されている。
特許文献８発明の再生装置は、交換可能な情報記録媒体の情報を再生するものである。この再生装置は、再生手段と、認識手段と、記憶手段と、再生中断制御手段と、再生開始制御手段とを備えることを特徴とする。ここで、再生手段は、情報記録媒体の情報を再生するものである。認識手段は、情報記録媒体を識別するための識別情報を認識するものである。記憶手段は、識別情報を含む情報を記憶するものである。再生中断制御手段は、情報記録媒体の再生を中断するときに、認識手段で認識した情報記録媒体の識別情報と、情報記録媒体の次回の再生を中断位置から行うために再生手段により再生を開始すべき情報記録媒体上の位置を特定可能な中断位置情報とを対応づけて、記憶手段に記憶させるものである。再生開始制御手段は、情報記録媒体の再生を開始するときに、認識手段で認識した情報記録媒体の識別情報に対応して記憶手段に記憶されている中断位置情報に基づいて、再生手段による再生開始位置を制御するものである。
【００１６】
また、特許文献９（特開２００４−１８５４７７号公報）では、光記憶媒体アレイ装置に係る発明が開示されている。
特許文献９発明の光記憶媒体アレイ装置は、１以上の光記憶媒体、および、光記憶媒体に対してデータの書き込みと読み出しとを行なう１以上の光記憶媒体ドライブを有する。この光記憶媒体アレイ装置は、冗長データ演算手段と、ベリファイ間隔設定手段と、書込制御手段と、読出制御手段と、を備えることを特徴とする。ここで、冗長データ演算手段は、予め定められた指示に従ってデータに冗長データを付加するものである。ベリファイ間隔設定手段は、冗長データ演算手段において冗長データが付加される場合、光記憶媒体へデータを書き込む際に、ベリファイ処理を行うベリファイ間隔を設定するものである。書込制御手段は、光記憶媒体へのデータの書き込み時に発生した再書き込み要求の回数に応じて、ベリファイ間隔を変更するものである。読出制御手段は、光記憶媒体からのデータ読み出し時に発生した再読み出し要求の回数に応じて、ベリファイ間隔を変更するものである。
【００１７】
特許文献９にはベリファイ間隔ごとにベリファイ処理を行い、ベリファイ間隔は書き込み時の再書き込み要求の回数、読み出し時の再読み出し要求の回数によって決定するという技術が記載されている。書き込み直後にベリファイを行わなかった部分については、ホストコンピュータからデータの記録または再生が要求されていないときに、冗長データを使用したディスクアレイ構成を利用して、整合性チェックを行う。不整合であったときには、ホストコンピュータに再度書き込みを要請する構成になっている。不整合を解決するために、ホストコンピュータを煩わせることになる。
【００１８】
また、特許文献１０（特開２００４−３２６９９６号公報）では、記録装置に係る発明が開示されている。
特許文献１０発明の記録装置は、入力される信号をディジタルデータとしてファイル形式で記録するものである。この記録装置は、記憶手段と、制御手段と、分割管理手段とを備える。ここで、バッファメモリは、入力される信号をディジタルデータとして一時的に蓄積するものである。記憶手段は、ディジタルデータをファイルとして蓄積するものである。制御手段は、バッファメモリに一時的に蓄積されたディジタルデータをファイルとして記憶手段に蓄積させるための制御を行うものである。分割管理手段は、ディジタルデータを任意のタイミングで区切るための分割タイミング信号を生成するものである。また、制御手段は、バッファメモリに蓄積された連続して入力されるディジタルデータについて、分割管理手段からの分割タイミング信号のタイミングに応じて分割されたファイルとなるように、バッファメモリに入力されるよりも高速の書き込み速度によって記憶手段に蓄積させるように制御を行う。
【００１９】
また、特許文献１１（特開２００５−１６００６０号公報）では、データ記録装置に係る発明が開示されている。
特許文献１１発明のデータ記録装置は、判定手段と、記録手段と、記録ベリファイ手段と、記録制御手段とを備える。ここで、判定手段は、データの構成、種別や属性の少なくとも１つを判定するものである。記録手段は、前記データを保存手段に記録するものである。記録ベリファイ手段は、記録したデータの記録ベリファイ処理をするものである。記録制御手段は、前記判定手段の判定結果に基づき、前記データの少なくとも一部のデータに対して前記記録ベリファイ手段がベリファイ処理を行うよう制御するものである。
【００２０】
特許文献１１には、データの構成、種別や属性を判定し、判定結果によってベリファイ処理を行うか否かを決定するという技術が記載されている。
【００２１】
また、特許文献１２（特開２００７−２２１１９５号公報）には、アクセスポイントに係る発明が開示されている。
特許文献１２発明のアクセスポイントは、無線ＬＡＮ端末および複数のアクセスポイントを備える無線ＬＡＮシステムに用いられ、ＬＡＮを介した通信が可能なものである。このアクセスポイントは、信号品質取得手段と、サーチ実行レベル算出手段と、サーチ実行レベル転送手段と、サーチ実行レベル格納手段と、サーチ実行レベル通知手段とを備えることを特徴とする。ここで、信号品質取得手段は、他のアクセスポイントからハンドオーバしてきた無線ＬＡＮ端末から、ハンドオーバ前後の受信信号品質を、無線ＬＡＮ端末がハンドオーバ前に帰属していたアクセスポイントであるハンドオーバ前アクセスポイントの識別情報と共に取得するものである。サーチ実行レベル算出手段は、信号品質取得手段によって取得された受信信号品質に基づいて、帰属中のアクセスポイント以外の、他のアクセスポイントの検索を行なうか否かの判定に用いられるサーチ実行レベルを算出するものである。サーチ実行レベル転送手段は、サーチ実行レベル算出手段によって算出されたサーチ実行レベルを、ハンドオーバ前アクセスポイントの識別情報に基づいて、自アクセスポイントの識別情報と共に、ハンドオーバ前アクセスポイントへ転送するものである。サーチ実行レベル格納手段は、他のアクセスポイントから、他のアクセスポイントの識別情報およびサーチ実行レベルを受け取った場合に、サーチ実行レベルを他のアクセスポイントの識別情報に対応付けて格納するものである。サーチ実行レベル通知手段は、サーチ実行レベル格納手段に格納されたサーチ実行レベルを、対応するアクセスポイントの識別情報と共に、無線通信を用いて、配下の無線ＬＡＮ端末に通知するものである。
【００２２】
【特許文献１】再公表ＷＯ９６／２８８２２号公報
【特許文献２】特開平９−２５８９１３号公報
【特許文献３】特開平１１−１４４３８１号公報
【特許文献４】特開２０００−２６８５１１号公報
【特許文献５】特開２００２−３５８２１３号公報
【特許文献６】特開２００３−１０９２２６号公報
【特許文献７】特開２００３−２７２３１７号公報
【特許文献８】特開２００４−１７８６５４号公報
【特許文献９】特開２００４−１８５４７７号公報
【特許文献１０】特開２００４−３２６９９６号公報
【特許文献１１】特開２００５−１６００６０号公報
【特許文献１２】特開２００７−２２１１９５号公報
【発明の開示】
【発明が解決しようとする課題】
【００２３】
本発明の目的は、データの信頼性を保持したまま記録速度の低下を回避し、かつ、ベリファイエラー検出時にもホストコンピュータを煩わせない、情報記録再生制御装置を提供することにある。
【課題を解決するための手段】
【００２４】
本発明による情報記録再生制御装置は、ホストコンピュータから送信される任意の第１データ量の情報を情報記録媒体に記録するための制御を行うものである。この情報記録再生制御装置は、タイミング生成手段と、信号品質取得手段と、信号品質判定手段とを具備する。ここで、タイミング生成手段は、第１データ量の情報のうち、所定の第２データ量の情報を記録する度、および、第１データ量の情報を記録し終わった際に、タイミング信号を生成出力するものである。信号品質取得手段は、タイミング信号が生成出力される度に、記録された第２データ量または第２データ量に満たない残りの情報のうち、末尾の一部分における信号品質を取得するものである。信号品質判定手段は、取得された末尾の一部分における信号品質が、所定の品質条件を満たすか否かに基づいて、第２データ量または第２データ量に満たない残りの情報において再記録の必要があるか否かを判定するものである。
【００２５】
本発明による情報記録再生制御方法は、ホストコンピュータから送信される任意の第１データ量の情報を、情報記録再生媒体に記録するためのものである。この情報記録再生制御方法は、（ａ）第１データ量の情報を、所定の第２データ量単位で記録し、または、第２データ量に満たない残りの情報を記録するステップと、（ｂ）ステップ（ａ）で記録した第２データ量、または、第２データ量に満たない残りの情報における信号品質を判定するステップとを具備する。ここで、ステップ（ｂ）は、（ｂ−１）第２データ量、または、第２データ量に満たない残りの情報における末尾の一部分における信号品質を取得するステップと、（ｂ−２）ステップ（ｂ−１）で取得された信号品質が、所定の品質条件を満たす場合に、第２データ量、または、前記第２データ量に満たない残りの情報の記録は終了したと判定するステップと、（ｂ−３）ステップ（ｂ−１）で取得された信号品質が、所定の品質条件を満たさない場合に、第２データ量、または、前記第２データ量に満たない残りの情報は再記録を必要と判定するステップとを具備する。
【発明の効果】
【００２６】
本発明によれば、情報記録媒体へデータ記録及びデータ再生を行う情報記録再生装置を制御する情報記録再生制御装置において、連続記録中断点の直前領域に記録された信号の品質を調査し、予め定められた条件を満たす場合には、記録開始点から、または、前回の連続記録中断点の直後から今回の連続記録の中断点までの領域の信号品質を試験するベリファイ動作を省略することが出来る。すなわち、データの信頼性を保持したままベリファイ処理を省くことで記録速度の低下を回避することが出来る。
【発明を実施するための最良の形態】
【００２７】
添付図面を参照して、本発明による情報記録再生制御装置と、この制御装置を用いた情報記録再生装置と、情報記録再生制御方法とを実施するための最良の形態を以下に説明する。
【００２８】
（第１の実施形態）
図１は、本発明による情報記録再生制御装置１の構成を説明するためのブロック図である。
この情報記録再生制御装置１は、ホストインターフェース部２と、情報記録再生制御部３と、情報記録再生装置インターフェース部４とを具備する。
【００２９】
ホストインターフェース部２は、図示されない外部のホストコンピュータと接続されている。ホストインターフェース部２は、もう一方で、情報記録再生制御部３と接続されている。情報記録再生制御部３は、もう一方で、情報記録再生装置インターフェース部４と接続されている。情報記録再生装置インターフェース部４は、もう一方で、複数の情報記録再生装置５ａ〜ｄと接続されている。
【００３０】
ホストインターフェース部２は、ホストコンピュータとの通信を実現する。情報記録再生制御部３は、ホストインターフェース部２と、情報記録再生装置インターフェース部４との間で、記録データや再生データを一時的に保持し、制御する。
【００３１】
情報記録再生装置インターフェース部４は、１つ以上の情報記録再生装置インターフェースを具備し、１つ以上の情報記録再生装置５ａ〜ｄが接続される。情報記録再生装置インターフェース４は、ＡＮＳＩ（米国規格協会）で規定されたＡＴＡインターフェースであっても良いし、ＳＣＳＩインターフェースであっても良い。また、その他の規格のインターフェースであっても良い。情報記録再生装置インターフェース部４に接続される情報記録再生装置５ａ〜ｄとしては、光ディスク装置であっても良いし、他にも、磁気ディスク装置、半導体メモリ装置などであっても良い。
【００３２】
図２は、本発明の第１の実施形態による情報記録再生制御部３の構成を説明するためのブロック図である。
この情報記録再生制御部３は、タイミング生成手段１０と、信号品質取得手段２０と、信号品質判定手段３０、不良位置記憶手段４０と、データ再記録手段５０、データ保持手段６０とを具備する。
【００３３】
タイミング生成手段１０は、信号品質判定手段３０に接続されている。信号品質判定手段３０は、信号品質取得手段２０と、信号品質調査手段４０とに接続されている。信号品質取得手段は、信号品質判定手段３０と、信号品質調査手段４０とに接続されている。信号品質調査手段４０は、信号品質取得手段２０と、データ再記録手段５０とに接続されている。データ再記録手段５０は、データ保持手段６０に接続されている。データ保持手段６０は、データ再記録手段５０に接続されている。
【００３４】
タイミング生成手段１０は、情報記録媒体のそれぞれについて、予め定められたデータ量を情報記録媒体上へ連続して記録すると、動作タイミング信号を生成出力する。また、タイミング生成手段１０は、情報記録媒体のそれぞれについて、情報記録媒体上への連続した記録が終了しても、同じく動作タイミング信号を生成出力する。情報記録媒体上のデータ配置は使用する情報記録媒体と情報記録再生装置５ａ〜ｄとによって異なるが、予め知ることは可能である。タイミング生成手段１０が情報記録媒体にデータが連続して記録されているか否か判定することは可能である。
【００３５】
情報記録再生制御部３は、動作タイミング信号がタイミング生成手段１０から生成出力されたときに、連続記録を中断する。
【００３６】
信号品質取得手段２０は、情報記録媒体上の指定した位置に記録された信号の品質を、情報記録再生装置５ａ〜ｄから取得する。使用する情報記録再生装置５ａ〜ｄは、情報記録媒体上の指定された位置に対応する、記録された信号の品質を情報記録再生制御部３に報告する機能を具備することが望ましい。図２では、情報記録再生装置インターフェース部４に４台の情報記録再生装置５ａ〜ｄが接続されている例を示した。これはあくまでも一例であって、情報記録再生装置の総数に制限は特に無い。
【００３７】
例えば、まず、情報記録再生制御部３が、情報記録再生装置インターフェース部４を介して、情報記録再生装置５ａに対して、信号品質計測コマンドを発行する。この信号品質計測コマンドとは、所望する位置の信号品質を要求するためのコマンドである。次に、情報記録再生装置５ａは、この信号品質計測コマンドに応答して、信号品質データを報告する。
【００３８】
信号品質としては、使用する情報記録媒体と情報記録再生装置によって、さまざまな基準が考えられる。例えば、誤り無く再生可能であるか否かそのものを信号品質データとすることができる。または、再生した信号の理想的タイミングからの時間的ずれを示すジッタ量や、情報記録再生装置内のエラー訂正機構での所定データ量当たりのエラー訂正シンボル数などを用いることも出来る。
【００３９】
信号品質判定手段３０は、タイミング生成手段１０で動作タイミング信号が生成出力されたとき、信号品質取得手段２０を用いて、連続記録が中断された中断点の、直前の領域に記録された信号の品質を取得する。信号品質判定手段３０は、その結果を用いて、予め定められた条件を満たすか否かを判定する。
【００４０】
情報記録媒体には物理的記録を行う際に最小記録単位が存在する。そこで、信号品質の判定は、例えば、連続記録終端の最小記録単位の信号品質を取得して行う。ある光ディスク媒体では、ユーザデータ６４ｋＢに制御データやエラー訂正コードデータを付加したデータ量が、最小記録単位として規定されている。例えば、信号品質判定手段３０が、連続記録が中断された中断点の、直前の最小記録単位に記録された信号の品質によって判定を行うよう構成することが出来る。
【００４１】
信号品質調査手段４０は、信号品質判定手段３０での判定結果によって動作する。信号品質判定手段３０で予め定められた条件を満たさないとき、信号品質調査手段４０は、情報記録媒体上で予め定められた条件を満たさない位置を探索して記憶する。このとき、信号品質取得手段２０が、記録開始点から、または、前回の連続記録が中断された中断点の直後から今回の連続記録の中断点までの全ての領域の信号品質を調査する。
【００４２】
情報記録媒体の記録領域には単位長さ毎に一意のアドレスが付与されている。情報記録媒体への物理的記録は最小記録単位毎に行われるため、信号品質調査は最小記録単位毎に行い、予め定められた条件を満たさない最小記録単位に対応するアドレスを記憶する。
【００４３】
データ再記録手段５０は、信号品質調査手段４０での一連の調査が完了した後、信号品質調査手段４０に記憶された、予め定められた条件を満たさない位置のデータを再記録する。
【００４４】
データ再記録手段５０は、データ保持手段６０に保持された、記録開始点から、または、前回の連続記録中断点の直後から今回の連続記録の中断点までの領域に対応するデータを用いて、再記録を行う。情報記録再生制御部３は、記録すべきデータをＮ個に分割してＮ個の情報記録媒体に並列記録を行う制御を行う。タイミング生成手段１０での予め定められた連続データ量がＣであったときは、データ保持手段６０はＮ×Ｃのデータ量を保持する必要がある。例えば、情報記録媒体４個に並列記録しており、連続データ量が１００ＭＢであるとき、データ保持手段６０は、４００ＭＢのデータを保持する必要がある。
【００４５】
（第２の実施形態）
図３は、本発明の第２の実施形態による情報記録再生制御部３の構成を説明するためのブロック図である。
この情報記録再生制御部３は、第１の実施形態による情報記録再生制御部３と比較すると、データ保持手段６０の代わりにデータ復元手段７０を具備している。第２の実施形態による情報記録再生制御部３における、その他の構成および各構成要素間の接続関係は、第１の実施形態の場合と同じなので、説明を省略する。
【００４６】
データ再記録手段５０は、データを再記録しようとする位置に対応するデータをデータ復元手段７０から得て、再記録を行う。前記した、冗長データを含めて複数の情報記録媒体に記録すべきデータを分割して並列に記録再生するよう構成されているときには、一つの記録した分割データが再生不能であっても、再生可能である他の分割データと冗長データとから、再生不能であった分割データを復元することが出来る。
【００４７】
データを分割し、冗長データを作成追加して記録し、その後分割データの一部を失っても復元可能とする技術としては、例えばいわゆるＲＡＩＤ（Ｒｅｄｕｎｄａｎｔ  Ａｒｒａｙｓ  ｏｆ  Ｉｎｄｅｐｅｎｄｅｎｔ  Ｄｉｓｋｓ）５またはＲＡＩＤ６も知られている。
【００４８】
データ復元手段７０は、情報記録再生装置インターフェース部４を介して、複数の情報記録再生装置を用いて複数の情報記録媒体からデータを再生して、再記録に使用するデータを復元する。例えば、情報記録再生装置インターフェース部４に４台の情報記録再生装置５ａ〜ｄが接続されており、記録すべきデータを３つに分割し、さらに冗長データを分割データ１つ分生成して、４台の情報記録再生装置５ａ〜ｄを用いて、４つの情報記録媒体へ並列で記録を行う構成である場合を考える。このとき、情報記録再生装置５ｂで情報記録媒体への再記録を行う場合、情報記録再生装置５ａ、５ｃ、５ｄから対応するデータを読み出すことで、情報記録再生装置５ｂでの再記録に使用すべきデータを復元することが出来る。この例では、冗長データが１つの例を示したが、冗長データを２つ以上設ける構成もあり得る。
【００４９】
図４は、本発明による情報記録再生制御方法の手順を示すフローチャートである。
なお、複数の情報記録媒体を用いる場合には、各々の情報記録媒体ごと個別に手順を適用する。
【００５０】
連続した記録が開始すると、まず、ステップＳ１においてデータを記録する。その後、ステップＳ２において、予め定められたデータ量を連続して記録したか判定する。
【００５１】
ステップＳ２において、連続して記録したデータ量が予め定められたデータ量に達しないと判定したときには、ステップＳ３に進む。
【００５２】
ステップＳ３において、連続した記録を終了したか判定する。ステップＳ３において、連続した記録を終了していないと判定した場合には、ステップＳ１に戻り、連続した記録を続行する。
【００５３】
ステップＳ３において、連続した記録を終了したと判定したときには、ステップＳ１に戻らず、連続記録を中断する。ステップＳ４に進み、動作タイミング信号を生成出力して、連続記録を中断した中断点の、直前の領域の信号品質を調査する。
【００５４】
また、ステップＳ２において、連続して記録したデータ量が予め定められたデータ量に達していたと判定したときも、ステップＳ１に戻らず、連続記録を中断する。ステップＳ４に進み、動作タイミング信号を生成出力して、連続記録を中断した中断点の、直前の領域の信号品質を調査する。
【００５５】
ステップＳ４の次に、ステップＳ５において、連続記録を中断した中断点の、直前の領域の信号品質が、予め定められた条件を満たすかどうかを判定する。
【００５６】
ステップＳ５において、予め定められた条件を満たさないと判定したときには、ステップＳ７に進み、記録開始点、または、前回の連続記録中断点の直後から、今回の連続記録の中断点までの全ての領域の信号品質を調査し、予め定められた条件を満たさない位置を記憶する。さらにステップＳ８に進み、記憶した不良位置のデータを再記録する。
【００５７】
ステップＳ８において、不良位置に再記録されたデータは、もう一度読み込まれて、その信号品質が判定される。信号品質が、予め定められた条件を満たしていれば次のステップに進むことが出来る。
【００５８】
しかし、信号品質が条件を満たしていない場合は、予め定められた所定の回数だけ、データの再記録を続ける必要がある。所定の回数だけ、データの再記録を繰り返しても、信号品質が予め定められた条件を満たさない場合が考えられる。それは、例えば、記憶媒体に傷が付くなどして、特定の領域が使用不能になっている場合などである。その場合は、不良位置の変わりに、予め用意された予備領域を用いるなどの動作を行う。
【００５９】
ステップＳ８において、データ再記録が完了したときには、ステップＳ６に進み、連続した記録を終了したか判定する。
【００６０】
ステップＳ５において、予め定められた条件を満たしているときも、ステップＳ６に進み、連続した記録を終了したか判定する。
【００６１】
ステップＳ６において、連続した記録を終了していないと判定したときには、ステップＳ１に戻り、データ記録を再開する。
【００６２】
ステップＳ６において、連続した記録を終了したと判定したときには、連続した記録を行う一連の処理は終了する。
【００６３】
ステップＳ４を実行する直前に、ステップＳ３において判定を行った場合には、ステップＳ６の判定を省略して、代わりにステップＳ３の判定結果を使用することが出来る。
【００６４】
図５Ａ〜Ｈは、本発明による情報記録再生制御装置、情報記録再生制御方法を適用したとき、情報記録媒体に対して行われる処理を例示したものである。
【００６５】
図５Ａは、情報記録媒体の記録領域について説明するための図である。連続記録をＳ点からＥ点まで行うものとする。点線で区切られた各々の部分が最小記録単位であるとする。さらに、タイミング生成手段１０やタイミング生成ステップで記述した予め定められたデータ量を最小記録単位５つ分に対応するデータ量であるとする。したがって、図５ＡのＳ点からＥ点までは、Ｓ点からＡ点、Ａ点からＢ点、Ｂ点からＥ点まで、予め定められたデータ量の３つ分に対応する。データ記録は最小記録単位毎に行うものとする。
【００６６】
図５Ｂは、連続記録の開始時について説明するための図である。連続記録を開始すると、まず、Ｓ点側の左端の最小記録単位に対応する領域にデータ記録が行われる。
【００６７】
図５Ｃは、連続記録の中断について説明するための図である。データ記録が行われていき、記録したデータ量が予め定められたデータ量に達すると、一旦、連続記録を中断する。
【００６８】
図５Ｄは、連続記録の一部領域における信号品質調査について説明するための図である。連続した記録を中断すると、中断したＡ点の直前の最小記録単位に記録された信号の品質を調査する。
【００６９】
図５Ｅは、連続記録における記録再開について説明するための図である。調査した信号品質が予め定められた条件を満たす場合には、中断したＡ点から、データ記録を再開する。
【００７０】
図５Ｆは、連続記録の全領域における信号品質調査について説明するための図である。調査した信号品質が予め定められた条件を満たさない場合は、開始点Ｓから連続した記録を中断したＡ点までの全ての領域の信号品質を調査する。調査の結果、最小記録単位ＥＲ１、ＥＲ２での信号品質が予め定められた条件を満たさなかったものと仮定する。不良であった位置としてＥＲ１、ＥＲ２の位置が記憶される。
【００７１】
図５Ｇは、連続記録における再記録について説明するための図である。記憶された不良であった位置ＥＲ１、ＥＲ２に対応するデータを、最小記録単位ＥＲ１、ＥＲ２に再記録する。
【００７２】
再記録した後、再度、信号品質を調査する処理を付加してもよい。このとき、予め定められた条件を満たさない場合は、例えば、光ディスク媒体で用いられる欠陥代替処理を用いて、他のスペア位置に記録することも出来る。また、追記型の情報記録媒体では同じ場所に再記録することが出来ないため、上記の他のスペア位置に記録する処理を適用することが有効である。
【００７３】
図５Ｈは、連続記録における再記録後の記録再開について説明するための図である。再記録が完了すると、中断したＡ点から、データ記録を再開する。
【００７４】
Ａ点〜Ｂ点と、Ｂ点〜Ｅ点の領域についても、Ｓ点〜Ａ点と同様に情報の連続記録を行う。
【００７５】
本発明における連続記録の中断について補足説明する。本発明における連続記録の中断とは、所定の情報量単位ごとに信号品質を確認するために行うものがその対象である。すなわち、他の理由による中断においては信号品質の判定を行わない。
【００７６】
例えば、光ディスク記録装置への情報転送が間に合わないなどの理由で発生するいわゆるバッファアンダーラン状態による連続記録の中断については、信号品質の判定を行う必要は無い。
【００７７】
また、使用される情報記録媒体が光ディスクであった場合、記録中にトラッキング外れやフォーカス外れなどの事故が発生する可能性がある。このような事故が発生した際、記録を中断する場合がある。しかし、この種の中断は、本発明で想定するものではなく、信号品質の判定を行う必要は無い。
【００７８】
また、光ディスクの記録方法において、ＺＣＬＶ（Ｚｏｎｅｄ  Ｃｏｎｓｔａｎｔ  Ｌｉｎｅａｒ  Ｖｅｌｏｃｉｔｙ：領域線速度一定）方法やＰＣＡＶ（Ｐａｒｔｉａｌ  Ｃｏｎｓｔａｎｔ  Ａｎｇｕｌａｒ  Ｖｅｌｏｃｉｔｙ：部分角速度一定）方式などが知られている。これらの記録方式では、光ディスクに情報を連続的に記録している最中に、光ディスクの回転速度や情報転送速度が変動する。この変動に対応するために、連続記録が中断される場合がある。しかし、この中断は本発明における中断とは性質が異なり、信号品質の判定を行う必要は無い。
【００７９】
また、信号品質を確認するために、直前に記録された情報を読み出すが、このとき再生が何らかの理由で中断される可能性がある。しかし、再生の中断によって信号品質の判定を行う必要は無い。
【００８０】
本発明におけるタイミング信号の生成について補足説明する。本発明におけるタイミング信号は、予め設定されたデータ量の記録が完了した時に生成出力されるものであって、直前に記録された信号の品質の判定を始めるタイミングを知らせるものである。したがって、他の理由によって記録が終了したとしても、そのような場合にタイミング信号を生成出力する必要は無い。
【００８１】
例えば、情報を記録する記録装置に何らかの異常が発生して記録動作が終了してしまった場合には、タイミング信号を生成出力する必要は無い。光ディスクに照射されるレーザ光に異変が発生したために記録動作が終了した場合も同様である。
【００８２】
本発明による信号品質の判定について補足説明する。本発明による信号品質は、情報記録媒体に直前に記録したばかりの信号が再生可能かどうかを確認するものである。したがって、情報記録媒体から読み取られた信号が、通信回線などを介して伝送された後における信号品質とは関係が無い。
【００８３】
本発明による再記録について補足説明する。本発明による再記録は、最低限に抑えられている。すなわち、一度に連続記録した情報量のうち、実際に読み込みエラーが発生する部分だけを再度記録する。ただし、記録媒体のフォーマット上の制限または物理的な制限により、最小記録単位での再記録を行う。
【００８４】
本発明による情報記録再生制御方法について補足説明する。この制御方法は、任意の論理回路によって実現されても良いが、マイコンやコンピュータに所定のプログラムを実行させて実現されることが好ましい。
【００８５】
なお、この場合、制御用プログラムは、記録の開始から終了まで、中断しない。すなわち、連続記録の最中に、所定の情報量が記録された時点で記録が中断されても、そこでプログラムは中断しない。
【００８６】
本発明による再記憶におけるデータの復元について補足説明する。本発明では、最初の記録に失敗した際、記録のリトライに使用するデータを、データの復元によって得る。
【００８７】
以上に説明したように、本発明は、情報記録媒体へデータ記録及びデータ再生を行う情報記録再生装置を制御する情報記録再生制御装置とその制御方法に係る。本発明によれば、データの信頼性を保持したままベリファイ処理を省くことで記録速度の低下を回避する効果が得られる。また、ベリファイエラーが検出された領域のデータを、ホストを煩わせることなく再記録し回復することを可能とする。
【図面の簡単な説明】
【００８８】
【図１】図１は、本発明による情報記録再生制御装置の構成を説明するためのブロック図である。
【図２】図２は、本発明の第１の実施形態による情報記録再生制御部の構成を説明するためのブロック図である。
【図３】図３は、本発明の第２の実施形態による情報記録再生制御部の構成を説明するためのブロック図である。
【図４】図４は、本発明による情報記録再生制御方法の手順を示すフローチャートである。
【図５Ａ】図５Ａは、情報記録媒体の記録領域について説明するための図である。
【図５Ｂ】図５Ｂは、連続記録の開始時について説明するための図である。
【図５Ｃ】図５Ｃは、連続記録の中断について説明するための図である。
【図５Ｄ】図５Ｄは、連続記録の一部領域における信号品質調査について説明するための図である。
【図５Ｅ】図５Ｅは、連続記録における記録再開について説明するための図である。
【図５Ｆ】図５Ｆは、連続記録の全領域における信号品質調査について説明するための図である。
【図５Ｇ】図５Ｇは、連続記録における再記録について説明するための図である。
【図５Ｈ】図５Ｈは、連続記録における再記録後の記録再開について説明するための図である。
【符号の説明】
【００８９】
１    情報記録再生制御装置
２    ホストインターフェース部
３    情報記録再生制御部
４    情報記録再生装置インターフェース部
５ａ〜５ｄ  情報記録再生装置
１０  タイミング生成手段
２０  信号品質取得手段
３０  信号品質判定手段
４０  不良位置記憶手段
５０  データ再記録手段
６０  データ保持手段
７０  データ復元手段
【図１】
2009238337.tif 000003
【図２】
2009238337.tif 000004
【図３】
2009238337.tif 000005
【図４】
2009238337.tif 000006
【図５Ａ】
2009238337.tif 000007
【図５Ｂ】
2009238337.tif 000008
【図５Ｃ】
2009238337.tif 000009
【図５Ｄ】
2009238337.tif 000010
【図５Ｅ】
2009238337.tif 000011
【図５Ｆ】
2009238337.tif 000012
【図５Ｇ】
2009238337.tif 000013
【図５Ｈ】
2009238337.tif 000014